(57)【要約】      （修正有）【課題】充分安価に製造することができ、収納した容器を充分安定して支持することができ、手提げ袋への容器の収納及び手提げ袋からの容器の取出を充分容易に遂行することができ、手提げ袋に容器を収納した状態においても容器内の飲料又は食料を容易に消費することができる細長コップ状容器のための合成樹脂フィルム製手提げ袋を提供する。【解決手段】合成樹脂フィルム製手提げ袋２は同一形状である片壁４と他壁とから構成されて、片壁と他壁とは矩形状の収納部８と収納部の上端から上方に延出する手提げ部１０とを具備し、手提げ部の両側縁１８は、収納部の両側縁１４よりも幅方向内側に位置し、手提げ部には上端縁の中央部から下方に延びる切欠部２０が形成され、収納部に容器を正立状態で収納して手提げ部の上端部を吊り下げると、容器の上端部は収納部の上方に突出し、手提げ部における切欠部の下端よりも上方の部分が容器の上端縁に密接せしめられる。【選択図】図１
2019156431.tif 000002
【特許請求の範囲】
【請求項１】
飲料又は食料を収容した細長コップ状容器のための合成樹脂フィルム製手提げ袋にして、
同一形状である片壁と他壁とから構成されており、
該片壁と該他壁とは矩形状の収納部と該収納部の上端から上方に延出する手提げ部とを具備し、
該片壁と該他壁との該収納部は、下端縁及び両側縁に沿って相互に接続されており、
該手提げ部の両側縁は、該収納部の該両側縁よりも幅方向内側に位置し、
該片壁と該他壁との該手提げ部には、上端縁の中央部から下方に延びる切欠部が形成されており、
該片壁と該他壁との該手提げ部は、上端縁に沿って相互に接続されており、
該収納部に該容器を正立状態で収納して該手提げ部の上端部を把持して吊り下げると、該容器の上端部は該収納部の上端を超えて上方に突出し、該手提げ部における該切欠部の下端よりも上方の部分が該容器の上端縁に密接せしめられる、
ことを特徴とする合成樹脂フィルム製手提げ袋。
【請求項２】
該切欠部の下端は収納部の上端よりも上方に位置する、請求項１記載の合成樹脂フィルム製手提げ袋。
【請求項３】
該手提げ部の該両側縁は該収納部の該両側縁と平行に延びる、請求項１又は２記載の合成樹脂フィルム製手提げ袋。
【請求項４】
該手提げ部に形成されている該切欠の両側縁は該収納部の該両側部と平行に延びる、請求項１から３までのいずれかに記載の合成樹脂フィルム製手提げ袋。
【請求項５】
該片壁と該他壁との該手提げ部における該切欠部の下端から上方に延出する吊り下げ片を含み、該吊り下げ片は破断可能ミシン目を介して該手提げ部に接続されており、該吊り下げ片の上端部には係止孔が形成されている、請求項１から３までのいずれかに記載の合成樹脂フィルム製手提げ袋。
【発明の詳細な説明】
【技術分野】
【０００１】
本発明は、飲料又は食料を収容した細長コップ状容器のための合成樹脂フィルム製手提げ袋に関する。
【背景技術】
【０００２】
周知の如く、所謂コンビニ店或いはファーストフード店等において、コーヒー等の飲料或いはおでん等の食料をテイクアウトする場合には、一般に、円形底壁及び逆円錐台形側壁を有する、紙又は合成樹脂製の細長コップ状容器に飲料又は食料を収容し、更に必要に応じて容器の上端に合成樹脂製蓋を被嵌して容器の上端に形成されている開口を閉じている。顧客による持ち運びの便宜のためには、飲料又は食料を収容した容器を手提げ袋内に収納して顧客に渡すことが望まれる。下記特許文献１及び２には、飲料又は食料を収容した細長コップ状容器を収納するための合成樹脂フィルム製手提げ袋が開示されている。
【先行技術文献】
【特許文献】
【０００３】
【特許文献１】特許第５９２０７５４号公報
【特許文献２】特開２０１６−９８０３９号公報
【発明の概要】
【発明が解決しようとする課題】
【０００４】
而して、上記特許文献１及び２に開示されている合成樹脂フィルム製手提げ袋は未だ充分に満足し得るものではなく、（１）手提げ袋における収納部に複数個のスポット接合部或いは溶着シール部を形成することが必要であること、手提げ袋における収納部を容器の全体を収納することができる比較的大きな寸法にすることが必要である等に起因して製造コストを充分に低減することができない、（２）手提げ袋内に収納した容器が必ずしも充分安定して支持されず、手提げ袋内で容器が傾斜乃至転倒してしまう虞がある、（３）容器の全体を手提げ袋の収納部内に位置せしめるために、手提げ袋内に手を深く進入することが必要であり、手提げ袋内への容器の収納及び手提げ袋からの容器の取出が必ずしも容易でない、（４）容器の全体が手提げ袋内に収納される故に、手提げ袋に容器を収納して状態で容器内の飲料又は食料を消費することが困難である、という解決すべき問題を有する。
【０００５】
本発明は上記事実に鑑みてなされたものであり、その主たる目的は、（１）充分安価に製造することができ、（２）収納した容器を充分安定して支持することができ、（３）手提げ袋への容器の収納及び手提げ袋からの容器の取出を充分容易に遂行することができ、そして更に（４）手提げ袋に容器を収納した状態においても容器内の飲料又は食料を容易に消費することができる、新規且つ改良された細長コップ状容器のための合成樹脂フィルム製手提げ袋を提供することである。
【課題を解決するための手段】
【０００６】
本発明者は、鋭意検討の結果、同一形状である片壁と他壁とから構成され、矩形状の収納部とこの収納部の上端から上方に延びる手提げ部からなる単純な形態の合成樹脂製手提げ袋において、特に、収納部の寸法と共に手提げ部の形状を独特なものに設定することによって、上記主たる技術的課題を達成することができることを見出した。
【０００７】
即ち、本発明によれば、上記主たる目的を達成する合成樹脂フィルム製手提げ袋として、
飲料又は食料を収容した細長コップ状容器のための合成樹脂フィルム製手提げ袋にして、
同一形状である片壁と他壁とから構成されており、
該片壁と該他壁とは矩形状の収納部と該収納部の上端から上方に延出する手提げ部とを具備し、
該片壁と該他壁との該収納部は、下端縁及び両側縁に沿って相互に接続されており、
該手提げ部の両側縁は、該収納部の該両側縁よりも幅方向内側に位置し、
該片壁と該他壁との該手提げ部には、上端縁の中央部から下方に延びる切欠部が形成されており、
該片壁と該他壁との該手提げ部は、上端縁に沿って相互に接続されており、
該収納部に該容器を正立状態で収納して該手提げ部の上端部を把持して吊り下げると、該容器の上端部は該収納部の上端を超えて上方に突出し、該手提げ部における該切欠部の下端よりも上方の部分が該容器の上端縁に密接せしめられる、
ことを特徴とする合成樹脂フィルム製手提げ袋が提供される。
【０００８】
好ましくは、該切欠部の下端は該収納部の上端よりも上方に位置する。該手提げ部の該両側縁は該収納部の該両側縁と平行に延びるのが好ましい。該手提げ部に形成されている該切欠の両側縁も該収納部の該両側部と平行に延びるのが好適である。該片壁と該他壁との該手提げ部における該切欠部の下端から上方に延出する吊り下げ片を含み、該吊り下げ片は破断可能ミシン目を介して該手提げ部に接続されており、該吊り下げ片の上端部には係止孔が形成されているのが好ましい。
【発明の効果】
【０００９】
本発明の合成樹脂フィルム製手提げ袋によれば、（１）同一形状である片壁と他壁とから構成され、矩形状の収納部とこの収納部の上端から上方に延びる手提げ部からなる単純な形態であり、収納部の寸法は手提げ袋に収納された容器の上端部が収納部の上端を超えて突出する比較的小さい寸法に設定される故に、充分安価に製造することができ、（２）手提げ部の上端部を把持して手提げ袋を吊り下げると、手提げ部における切欠の下端よりも上方の部分が、周方向に間隔をおいた４か所で容器の上端縁に密接せしめられ、これによって手提げ袋に収納された容器は充分安定して支持され、（３）手提げ袋に収納された容器の上端部は収納部の上端を超えて上方に突出するので、手提げ袋に容器を収納する際及び手提げ袋から容器を取り出す際に手提げ袋内に手を進入せしめる必要がなく、手提げ袋への容器の収納及び手提げ袋からの容器の取出を充分容易に遂行することができ、そして更に手提げ袋に収納された容器の上端部は収納部の上端を超えて上方に突出するので、手提げ袋に容器を収納した状態でも容器内の飲料又は食料を充分容易に消費することができる。
【図面の簡単な説明】
【００１０】
【図１】本発明に従って構成された合成樹脂フィルム製手提げ袋の好適実施形態を示す正面図。
【図２】図１に示す手提げ袋内に細長コップ状容器を収納し手提げ袋を吊り下げた状態を示す斜面図。
【図３】本発明に従って構成された合成樹脂フィルム製手提げ袋の他の好適実施形態を示す正面図。
【発明を実施するための形態】
【００１１】
以下、本発明に従って構成された合成樹脂フィルム製手提げ袋の好適実施形態を図示している添付図面を参照して、更に詳細に説明する。
【００１２】
図１を参照して説明すると、全体を番号２で示す本発明に従って構成された合成樹脂製手提げ袋は、合成樹脂製フィルム、例えば厚さが０．０２０乃至０．０８０ｍｍ程度のポリエチレンフィルム、から形成されている、同一形状の片壁４及び他壁６（図１においては、他壁６に片壁４が積層されている故に、他壁６は現出していない：他壁６については図２を参照されたい））とから構成されている。片壁４及び他壁６の各々は、矩形状の収納部８とこの収納部８から上方に延出する手提げ部１０とを具備している。
【００１３】
片壁４及び他壁６の収納部８は、下端縁１２及び両側縁１４に沿って相互に接続されていることが重要である。図示の手提げ袋２は、後に更に言及するとおり、チューブ状合成樹脂フィルムに所要加工を加えて製作されており、収納部８の両側縁１４は本来的に一体に連続して延在している。一方、収納部８の下端縁１２においては、下端縁１２に沿って延びるライン１６において片壁４と他壁６とが相互に溶着されている。
【００１４】
片壁４及び他壁６の手提げ部１０の両側縁１８は、収納部８の両側縁１４に対して幅方向内側に寸法Ｌ１だけ変位して位置しており、相互に接続されていない。手提げ部１０の両側縁１８は、収納部８の両側縁１４と実質上平行に延在せしめられているのが好都合である。片壁４及び他壁６の手提げ部１０には、上端縁中央部から下方に延びる切欠部２０が形成されている。かかる切欠部２０は縦長矩形状であり、切欠部２０の両側縁２２も収納部８の両側縁１４と実質上平行に延びているのが好適である。切欠部２０の実質上水平に延びる下端縁２４は、収納部８の上端縁２６よりも幾分上方に位置するのが望ましい。片壁４及び他壁６の手提げ部１０は、切欠部２０の両側に存在する上端縁２８に沿って接続されていることが重要である。図示の実施形態においては、上端縁２８に沿って延びるライン３０において片壁４と他壁６とが相互に溶着されている。所望ならば、切欠部２０の下端中央部に、二点鎖線で示す如く、上方に突出する舌状片３１を付設することもできる。
【００１５】
上述したとおりの手提げ袋２は、高さ及び外周長さが異なる３種の細長コップ状容器、即ち小サイズ容器、中サイズ容器及び大サイズ容器を収納するのに適用することが意図されている。この場合、図１に図示する状態、即ち片壁４と他壁６とを積層せしめて扁平化した状態において、収納部８の高さＨ１は小サイズ容器の高さと略同一であり、後に言及するとおりにして小サイズ容器を収納部８に収納すると小サイズ容器の上端部は収納部８の上端を超えて上方に幾分突出するのが好都合である。手提げ袋２の全体の高さＨ２は、大サイズ容器の高さよりも１０ｃｍ程度大きく、後に言及するとおりにして収納部８に大サイズ容器を収納した状態において、大サイズ容器の上方において片壁４と他壁６との手提げ部１０の間に腕を挿通することができる空間が存在するのが好都合である。収納部８の幅Ｗは、容器を適宜に収納することができるよう容器の直径よりも幾分大きいことが重要である。図１に図示する状態、即ち片壁４と他壁６とを積層せしめた状態における手提げ袋２の各種寸法の一例を挙げると下記のとおりである。
収納部８の高さＨ１：                              １００乃至１５０ｍｍ
手提げ袋全体の高さＨ２：                          ２５０乃至３５０ｍｍ
収納部８の幅Ｗ：                                  １２０乃至２００ｍｍ
手提げ部１０の両側縁１４引っ込み寸法Ｌ１：          １５乃至２５ｍｍ
収納部上端縁２６と切欠部下端縁２４との段差Ｇ：      ２０乃至４０ｍｍ
【００１６】
上記手提げ袋２の製作様式の一例について説明すると、連続して延在するチューブ状合成樹脂フィルムを、扁平化して両側縁で連続する片壁４と他壁６とが積層された状態で準備する。扁平化した状態におけるチューブ状合成樹脂フィルムの幅は、図１に図示する状態における手提げ袋２の幅Ｗである。かようなチューブ状合成樹脂フィルムを図１において上下方向に延在するように位置付け、所要切断、即ち収納部８の下端縁に沿った切断、手提げ部１０の上端縁に沿った切断、収納部８の上端縁両側部２６及び手提げ部１０の両側縁１８に沿った切断、並びに手提げ部１０の切欠部２０の両側縁２２及び下端縁２４に沿った切断、を加える。そしてまた、切断と同時に或いは切断の前又は後に、収納部８のランイ１６及び手提げ部１０のライン３０において片壁４と他壁６とを加熱して溶着する。かくして、図１に図示するとおりの手提げ袋２が製作される。
【００１７】
扁平化して両側縁で連続する片壁と他壁とが積層された状態で且つ幅が図１に図示する状態における手提げ袋２の全体の高さＨ２であるチューブ状合成樹脂フィルムを図１において左右方向に延在する状態に位置付けて、手提げ袋２を製作することもできる。この場合には、収納部８の両側縁に沿った切断、収納部８の上端縁両側部２６及び手提げ部１０の両側縁１８に沿った切断、並びに手提げ部１０の切欠部２０の両側縁２２及び下端縁２４に沿った切断、を加える。そして、切断と同時に或いは切断の前又は後に、収納部８の両側縁１４に沿って片壁４と他壁６とを加熱して溶着する。所望ならば、チューブ状ではなくて帯状に延在する２枚の合成樹脂フィルムを積層し、所要切断を加えると共に２枚のフィルム（即ち片壁４と他壁６と）を接続する必要がある収納部８の下端縁１２及び両側縁１４並びに手提げ部１０の上端縁２８に沿って２枚の合成樹脂フィルムを加熱して溶着し、かくして手提げ袋２を製作することもできる。
【００１８】
図２は、図１に示す手提げ袋２に細長コップ状中サイズ容器３２を収納した状態を図示している。適宜の紙或いは合成樹脂から形成することができるそれ自他は周知の容器３２は円形底壁（図示していない）と上方に向かって直径が漸次増大する逆円錐台形状の側壁３４を有する。容器３２内には例えばコーヒーである飲料或いは食料（図示していない）が収容されている。容器３２の上端には合成樹脂から形成することができるそれ自体は周知の蓋３６が被嵌され、容器３２の上端開口が閉じられている。かような容器３２は正立状態で手提げ袋２の収納部８に収納される。収納された容器３２の上端部は手提げ袋２の収納部８の上端を超えて上方に突出している。手提げ袋２の手提げ部１０における切欠部２０の両側に位置する部分に手を通して手提げ袋２を持ち上げると、図２を参照することによって明確に理解されるとおり、手提げ袋２の手提げ部１０における切欠部２０の下端よりも上方に位置する４個の短冊状部分が、夫々、周方向に間隔をおいた４個の部位で容器３２の蓋３６が被嵌された上端縁に密接せしめられ、かくして容器３２が充分に安定して正立状態に支持される。手提げ袋２の収納部８に対する容器３２の収納及び取出は、容器３２の上端部が収納部８の上端を超えて上方に突出している故に、収納部８内へ手を進入せしめる必要なくして充分容易に遂行することができる。また、容器３２の上端部が収納部８の上端を超えて上方に突出している故に、例えば図２に二点鎖線で示す如く手提げ袋２の手提げ部１０を容器３２の両側に変位せしめ、次いで蓋３６を通してストローを容器内に進入せしめ或いは蓋３６を離脱せしめて、手提げ袋２から容器３２を取り出すことなく容器３２内の飲料又は食料を消費することもできる。
【００１９】
図３は、本発明に従って構成された手提げ袋２の他の好適実施形態を図示している。図３に図示する手提げ袋２においては、片壁４及び他壁６（図２を参照されたい）の手提げ部１０の切欠部２０の下端から上方に延びる吊り下げ片３８を含んでいる。図示の実施形態における吊り下げ片３８は、細長矩形状であり手提げ部１０の上端まで上方に延在せしめられている。吊り下げ片３８は破断可能ミシン目４０を介して手提げ部１０に接続されている。換言すれば吊り下げ片３８の下端縁には破断可能ミシン目４０が形成されている。吊り下げ片３８の上端部には係止孔４２が形成されている。また、吊り下げ片３８の上端縁に沿って延びるライン４４において片壁４と他壁６とは溶着されているのが好都合である。
【００２０】
図３に図示する手提げ袋２の場合には、例えばコンビニ店或いはファーストフード店の販売カクンターの所定部位に細長丸棒でよい係止部材を配設し、多数の手提げ袋２を積み重ねた状態で、吊り下げ片３８に形成されている係止孔４２を係止部材に係止して、吊り下げ保管することができる。手提げ袋２を実際に使用する際には、手提げ袋２の収納部８を把持して下方に引っ張ってミシン目４０を破断する。かくして、吊り下げ片３８から手提げ袋２の本体を離脱せしめる。吊り下げ片３８から離脱せしめた手提げ袋２の本体は図１に図示する手提げ袋２と実質上同一である。
【符号の説明】
【００２１】
２：手提げ袋
４：片壁
６：他壁
８：収納部
１０：手提げ部
１２：収納部の下端縁
１４：収納部の側縁
１８：手提げ部の側縁
２０：手提げ部の切欠部
２２：切欠部の側縁
２４：切欠部の下端縁
２６：収納部の上端縁
２８：手提げ部の上端縁
３２：容器
３８：吊り下げ片
４０：ミシン目
４２：係止孔
【図１】
2019156431.tif 000003
【図２】
2019156431.tif 000004
【図３】
2019156431.tif 000005